(57)【要約】【課題】  高精度なこうが区性能を維持可能な光学エンジンまたは映像表示装置の提供。【解決手段】  光学エンジンまたは映像表示装置において、照明光学系が、偏光変換素子または色分離合成手段の光軸面に対する垂直方向の上下方向f値と、それと直交関係にある左右方向ｆ値との関係において、上下方向のf値＞左右方向ｆ値の関係を満たす構成とする。【選択図】  図１
2005321816.tif 000002
【特許請求の範囲】
【請求項１】
少なくとも１つ以上の光源ユニットの出射光から映像信号に応じた光学像を形成するライトバルブ手段の反射型映像表示素子と、該反射型映像表示素子の上に光を照射させる照明光学系と、該反射型映像表示素子から出射した光を投射する投射手段とを有する光学エンジンであって、
前記照明光学系が、前記偏光変換素子または前記色分離合成手段の光軸面に対する垂直方向の上下方向f値と、それと直交関係にある左右方向ｆ値とが、上下方向のf値＞左右方向ｆ値の関係を満たすことを特徴とする光学エンジン。
【請求項２】
請求項１に記載の光学エンジンを用いて構成した映像表示装置。
【発明の詳細な説明】
【技術分野】
【０００１】
本発明は、液晶パネルあるいは反射式映像表示素子などのライトバルブ素子を使用して、スクリーン上に映像を投影する投射装置、例えば、液晶プロジェクタ装置や、反射式映像表示プロジェクタ装置、液晶テレビジョン、投写型ディスプレイ装置等の技術に関するものである。
【背景技術】
【０００２】
液晶パネル等のライトバルブ素子に、電球などの光源からの光を当てて、液晶パネル上の画像を拡大投射する液晶プロジェクタ等の投写型映像表示装置が知られている。
【０００３】
この種の映像表示装置は、光源からの光をライトバルブ素子で画素毎の濃淡に変えて調節し、スクリーンなどに投射するものである。例えば、液晶表示素子の代表例であるツイステッド・ネマティック(TN)型液晶表示素子は、透明な電極被膜をもつ一対の透明基板間に液晶を注入して成る液晶セルの前後に、各々の偏光方向が互いに90°異なるように２枚の偏光板を配置したものであり、液晶の電気光学効果により偏光面を回転させる作用と、偏光板の偏光成分の選択作用とを組み合わせることにより、入射光の透過光量を制御して画像情報を表示するようになっている。近年、こうした透過型あるいは反射型の映像表示素子では、素子自体の小型化が進むとともに、解像度等の性能も急速に向上している。
【０００４】
このため、該映像表示素子を用いた表示装置の小型高性能化も進み、単に従来のようにビデオ信号等による映像表示を行うだけでなく、パーソナルコンピュータの画像出力装置としての投射型映像表示装置も新たに提案されている。この種の投射型映像表示装置には、特に、小型であることと、画面の隅々まで明るい画像が得られることが要求される。しかし、従来の投射型映像表示装置は、大型であったり、また最終的に得られた画像の明るさ、画質等の性能が不十分であるといった問題があった。
【０００５】
例えば、液晶表示装置全体の小型化には、ライトバルブすなわち液晶表示素子自体の小型化が有効であるが、液晶表示素子を小型化すると液晶手段による被照射面積が小さくなるため光源が放射する全ての光束量に対する液晶表示素子を小型化すると照明手段による被照射面積が小さくなるため光源が放射する全ての光束量に対する液晶表示素子上の光束量の比率（以下、これを光利用効率という）が低くなり、また、画面周辺部が暗い等の問題が生じる。さらに、液晶表示素子は一方向の偏光光しか利用できないため、ランダムな偏光光を発する光源からの光の約半分は利用されない。
【０００６】
光源からのランダムな偏光光を一方向の偏光方向に揃えて液晶表示素子に照射する光学系としては、特開平４−６３３１８号公報に開示されているような偏光ビームスプリッター（以下、これをＰＢＳと呼称する）などの偏光変換素子を利用して、光源から出射するランダムな偏光光をＰ偏光光とＳ偏光光に分離してプリズムを用いて合成するものがある。
【０００７】
また、これを用いて、従来の光学系においては、特に反射型液晶表示装置を用いた照明光学系では、上記ＰＢＳと反射型液晶表示装置を組合せて、映像のON及びOFF及び階調表現に応じて偏光方向を変換することで検光し、その後投射レンズにより映像をスクリーン上に投射する構成となっている。この場合、ＰＢＳに起因する、色ムラやコントラストの低下が問題視されている。
【０００８】
すなわち、光の入射角度に対するＰ偏光光の透過率およびＳ偏光光の反射率の特性が変化するため、照明系の所定角度の光に対してＰＢＳの透過率および反射率ムラが生じる。これにより、スクリーンに投影される画質の劣化が発生する。
【０００９】
特開平０９−０５４２１３号公報に開示されているようなＰＢ膜を挟み込む透過性材料を光弾性係数の絶対値を1.5×10-8 cｍ２／Ｎ以下である硝材で構成をしたＰＢＳを利用して、ＰＢＳ硝材内での複屈折を低下し、スクリーン上のコントラストを向上するものがある。
【００１０】
しかし、この発明では、接着場所での接着時の歪みおよび、温度変化による接着場所での歪みに対して考慮されておらず、この歪みによる複屈折現象は考慮されていない。
【００１１】
さらに、上述のＰＢ膜自体の入射光線角度による特性変化による光利用効率劣化および色ムラ現象に対しては対策がされていない。
【００１２】
したがって、プリズム硝材自体のみの複屈折現象は低減はされてはいるが、ＰＢＳやダイクロプリズム全体の複屈折現象の低減効果は不十分である。さらに、角度特性による光利用効率低下、消光比低下の対策がされていないので、明るさ、色ムラ及びコントラストとも不十分な傾向にある。
【００１３】
さらにＰＢ膜を設ける境界面が限定されており、2種類以上の誘電体多層膜、例えばＰＢ膜と調整ＡＲ膜など、を一対として複数層対を施した特性を持つＰＢＳやダイクロイックプリズムの構成が不可能となっている。したがって、ＰＢ膜と調整ＡＲ膜を一対として複数層重ねて、偏光純度を高め、画質性能の精度向上を図ることが不可能になっている。
【００１４】
以上より、映像表示装置の明るさおよび画質の向上という２つの観点からの対応が必要となっている。
【００１５】
【特許文献１】特開平４−６３３１８号公報
【特許文献２】特開平０９−０５４２１３号公報
【発明の開示】
【発明が解決しようとする課題】
【００１６】
以上の従来技術での課題事項をまとめると、映像表示装置の明るさおよび画質上の性能確保を両立する方法が課題であり、明るさおよび画質向上に関する事項の対応技術が、それぞれ課題となっている。すなわち、明るさ確保とコントラスト向上および色ムラ低減のために、ＰＢＳの光効率向上および、さらなる複屈折低減等が課題となっている。
【００１７】
本発明では、上記した従来技術での課題事項に関して、明るさおよび画質確保とともに、高精度でかつ小型化が可能な投写型表示技術の提供が目的である。
【課題を解決するための手段】
【００１８】
光源ユニットからの一部範囲の出射光Ａを、透過光軸に沿いする透過プリズム手段と、光源ユニットからの残りの範囲の出射光Ｂを反射手段、例えばミラーあるいは全反射プリズム、により光軸を出射光軸側に変換し、この反射光Ｂを前記透過プリズム手段の傾斜面と略平行にエアーギャップを介して設けられ、かつ前記出射光Ａを透過させた傾斜面にて反射させ、出射光Ａと略々同等の光軸方向に出射光Ｂの光軸を揃え、照明系の光軸に対し上下方向あるいは左右方向に光を圧縮する透過プリズム手段と反射手段により光束圧縮手段を構成する。
【００１９】
これにより、光の角度保存されたまま、光束幅を上下あるいは左右方向に圧縮できるので、圧縮によるレンズ収差の問題や、発散角度の広がりによる照明系効率の劣化を防止できるので、光利用効率の良い光束圧縮が可能となる。
【００２０】
また、この光束圧縮手段において、光束圧縮手段の透過プリズム手段の第１の傾斜面の傾きである透過光軸の直交面となす角度θ１は、透過プリズムの光学部材の臨界角度θ０１以下、すなわちθ０１＞θ１、例えばＢＫ７では±４１°近傍以下、とした構成とする。これにより、ＢＫ７等の各種硝材でも全反射角を使って、出射光Ａの透過を行うことが可能となる。またＢＫ７にて、この光束圧縮手段の透過プリズム手段を構成できるので、低コスト化が可能となる。
【００２１】
さらに、この光束圧縮手段において、反射手段の第３の傾斜面と、透過プリズムの透過光軸の直交面と、なす角度であるθ４をθ１＝θ４とし、法線と入射光軸および法線と反射光軸のなす角度θ３は反射合成手段の光学部材の臨界角度θ０２以上、すなわちθ０２＜θ３、例えばＢＫ７では±４１°近傍以上、とした構成とする。これにより、透過プリズム手段の第１の傾斜面と、反射合成手段の第３の傾斜面とを所定ギャップを介して接合でき、有効エリア外に接着剤あるいはスペーサあるいは薄膜あるいは印刷等により互いに接合でき、製造が容易となる。
【００２２】
また、透過光に対しては、入射光軸と出射光軸が変化しないため、後の照明系の設計が容易となる。当然、光利用効率の良い光束圧縮が可能となる。
【００２３】
また、反射合成手段の第２の傾斜面の傾きθ２は、反射合成手段に入射する光の光軸の直交面となす角度であり、かつθ２＝（θ１＋θ３）／２、例えばＢＫ７ではθ３＝±４１°の場合θ２＝±４１．５°近傍、とした構成である。
【００２４】
これにより、ＢＫ７の硝材でも全反射角を使って、出射光Ｂの反射を全反射で行うことが可能となる。またＢＫ７にて、この光束圧縮手段を構成できるので、さらなる低コスト化が可能となる。
【００２５】
さらに、光利用効率の良い光束圧縮が可能となる。
【００２６】
また、光束圧縮手段の反射手段をプリズム構成とし、このプリズム硝材を透過プリズムの硝材と異なる屈折率の硝材とした構成とする。これにより、反射プリズムの第一の傾斜面の角度を調整することで、透過プリズムの傾斜面とエアーギャップを介して平行に配置された反射プリズムの第二の傾斜面で全反射した光の光軸を、透過プリズムの透過光軸とはば一致させることが可能となる。
【００２７】
これにより、照明系全体での光利用効率を向上されることも可能である。
【００２８】
また、光源ユニットの出射光から映像信号に応じた光学像を形成するライトバルブ手段の反射型映像表示素子と、この反射型映像表示素子の上に光を照射させる照明光学系と、該反射型映像表示素子から出射した光を投射する投射手段とを有し構成される投射型の光学エンジンまたは映像表示装置であって、前記反射型映像表示素子に入射する光を偏光し、かつ前記反射型映像表示素子により偏光を変換された反射光を検光する偏光変換素子と、反射型映像表示素子あるいは偏光変換素子に入出射する光を特定波長域のみ反射あるいは透過させる色分離合成手段を有する照明光学系を有し、この照明光学系において、偏光変換素子およびまたは色分離合成手段の光軸面に対して垂直方向である上下方向f値 と、それと直交関係にある左右方向ｆ値の関係が、上下方向f値 ＞ 左右方向ｆ値 の関係である照明光学系を構成する。
【００２９】
これにより、偏光変換素子の角度性能の不利な方向の光を圧縮して、角度を小さくしてしまうので、高精度な光学性能を維持可能で、角度特性あるいは、光利用効率あるいは検光効率の向上、複屈折低減を用意に達成することが可能となる。
【００３０】
さらには、投射型の光学エンジンまたは映像表示装置において、光源ユニットと、この光源ユニットの出射光に対し光束圧縮手段は、例えばシリンドリカルレンズの凸凹組合せ、およびまたは、偏心レンズの組合せ、およびまたは、プリズムあるいはミラーの組合せ、およびまたは偏光変換素子の組合せである、照明光学系の光軸面に対して垂直方向である上下方向の光圧縮手段、あるいは水平方向である左右方向の光圧縮手段を有する構成とした。
【００３１】
かかる構成によりＰＢＳや色分離プリズムの誘電体多層膜に生じる、傾斜光による消光比劣化を低減でき、また温度変化に伴う画質上の色ムラやコントラスト特性の変化を低減できるという効果がある。
【００３２】
これにより、ＰＢＳの消光比が良くなり、偏光分離による検光効率や色分離効率を向上できる。また、この構成により、偏光純度を高め、画質性能の精度向上が可能になった。
【００３３】
また、上記照明光学系を投射型の映像表示装置に搭載することで、従来実現できなかった、明るさとコントラスト性能の両立化を達成できる。
【発明の効果】
【００３４】
本発明により、光の角度保存されたまま、光束幅を上下あるいは左右方向に圧縮できるので、圧縮によるレンズ収差の問題や、角度の広がりを防止できるので、効率の良い光束圧縮が可能となる。したがって、光学系の小型化と明るさ性能を両立した映像表示装置を提供できる。
【発明を実施するための最良の形態】
【００３５】
以下、本発明の実施の形態を図面を参照して説明する。
【００３６】
図１は、本発明における投射型液晶表示装置の一実施例の光学構成図である。図１の実施例は、液晶ライトバルブとして反射型液晶表示素子２をいわゆる色の３原色のＲ（赤色）、Ｇ（緑色）、Ｂ（青色）の３色に対応して合計３枚用いた３板式投射型表示装置を示している。
【００３７】
図１において、投射型液晶表示装置には、光源１があり、光源１は、超高圧水銀ランプ、メタルハライドランプ、キセノンランプ、水銀キセノンランプ、ハロゲンランプ等の白色ランプである。光源１は、円形ないし多角形の出射開口を持つ少なくとも１つの反射面鏡５と、この光源１から出される光はライトバルブ素子である液晶表示素子２を通過して投射レンズ３に向かい、スクリーン４へ投影される。
【００３８】
光源１の電球から放射される光は楕円面または放物面または非球面のリフレクタ５にて集光され、光束圧縮手段２６に入射し、ここにおいて、左右あるいは上下どちらかの光束幅を圧縮される。すなわち照明系のｆ値を変換される。図１の場合は図の手前から奥行き方向の光束幅が圧縮されている。この光束圧縮手段２６の出射開口と略同等サイズの矩形枠に設けられた複数の集光レンズにより構成され、ランプユニットから出射した光を集光して、複数の２次光源像を形成するための第一のアレイレンズ６に入射し、さらに複数の集光レンズにより構成され、前述の複数の２次光源像が形成される近傍に配置され、かつ液晶表示素子２に第一のアレイレンズ６の個々のレンズ像を結像させる第二のアレイレンズ７を通過する。この出射光は第二のアレイレンズ７の各々のレンズ光軸の横方向のピッチに適合するように配置された各々のレンズ幅の略１／２サイズの菱形プリズムの列へ入射する。このプリズム面には偏光ビームスプリッター８の膜付けが施されており、入射光は、この偏光ビームスプリッター８にてＰ偏光光とＳ偏光光に分離される。Ｐ偏光光は、そのまま偏光ビームスプリッタ−８内を直行し、このプリズムの出射面に設けられたλ／２位相差板９により、偏光方向が９０°回転され、Ｓ偏光光に変換され出射される。一方、Ｓ偏光光は、偏光ビームスプリッター８により反射され、隣接する菱形プリズム内で本来の光軸方向にもう一度反射してからＳ偏光光として出射される。出射光はコンデンサレンズ１０に入射する。
【００３９】
従来の反射型液晶表示素子を用いた投射型液晶表示装置では入射偏光板と反射液晶表示素子の組合せにより、一方向の偏光光しか反射しないため反射光量が約半分になっていた。しかし、偏光ビームスプリッター８を用いるため、光源１から出射するランダムな偏光光の偏光方向を揃えて反射型液晶表示素子２に入射するため、理想的には従来の投射型液晶表示装置の２倍の明るさが得られる。
【００４０】
また、アレイレンズ６、７は、各レンズセルの個々の像が液晶表示素子２に重なり、均一な画質が得られる作用を有する。
【００４１】
コンデンサレンズ１０は、少なくとも1枚以上の構成であり、正の屈折力を有し、このＳ偏光光をさらに集光させる作用を持ち、このコンデンサレンズ１０を通過した光は反射ミラ−１１、１２により光軸方向を所定方向９０°変換される。その後、光は各色ＲＧＢ３枚の反射型液晶表示素子２Ｒ，２Ｇ，２Ｂを照射するために、色分離ミラー１３あるいは図示していないが、色分離プリズムにより、Ｇ光とＲ、Ｂ光とに2分割され、それぞれの色専用の偏光変換素子であるＰＢＳ１６Ｇ，１６ＲＢに入射する。すなわち、Ｇ光は、本発明であるＧ専用ＰＢＳ１６Ｇに入射、その後Ｓ偏光光なのでＧ専用反射型液晶表示素子２Ｇ側へ反射され、このパネルを照射する。また、Ｂ光とＲ光はＢ−Ｒ光専用偏光板１４を通過し、本発明であるＲ−Ｂ専用ＰＢＳ１６ＲＢに入射、その後特定波長域のみ偏光方向を変換する特定波長選択波長板１７を通過してＢ光あるいはＲ光のどちらかの偏光をＳ偏光光からＰ偏光光に変換して、例えば、偏光を変換されたＰ偏光光であるＢ光は、Ｒ−Ｂ専用ＰＢＳ１６ＲＢを通過してＢ専用反射型液晶表示素子２Ｂを照射する。一方、Ｒ光はＳ偏光光なのでＲ−Ｂ専用ＰＢＳ１６ＲＢにて反射された後、Ｒ専用反射型液晶表示素子２Ｒを照射する。もちろん、上記例はひとつの具体例であり、実施例はこれに限定するものではなく、ＲがＰ偏光光に変換されてもよく、これとは別にもともとの照明系の偏光光がＰ偏光であり、ＲＧＢの一つの色がＳ偏光光に変換され、残りの二色がＰ偏光光となる場合も構成としては成り立つ。また、各色専用の反射型液晶表示素子２Ｒ、２Ｇ、２Ｂの入射側にはＳ偏光光を透過するＲＢ専用入射偏光板１４およびＧ専用入射偏光板１５を配置し、各色の偏光度およびまたは色純度を高めることも可能である。その後、各色専用の反射型映像表示素子２で偏光を変換され、光は再び各色専用ＰＢＳ１５、１６に入射し，Ｓ偏光光は反射され、Ｐ偏光光は透過する。
【００４２】
この反射型映像表示素子２は、表示する画素に対応する（例えば横１０２４画素縦７６８画素各３色など）数の液晶表示部が設けてある。そして、外部より駆動される信号に従って、液晶表示素子２の各画素の偏光角度が変わり、最終的に入射の偏光方向と直交方向になった光が出射され、偏光方向の一致した光がＰＢＳ２により検光される。この途中の角度の偏光を持った光は、ＰＢＳ２の偏光度との関係でＰＢＳを通る光の量と検光される量とが決まる。このようにして、外部より入力する信号に従った画像を投影する。この時、本発明のＧ専用ＰＢＳ１６ＧとＲ−Ｂ専用ＰＢＳ１６ＲＢである偏光変換素子は、反射型映像表示素子２Ｒ，２Ｇ、２Ｂが黒表示を行う場合に、偏光方向は入射光と同等であり、そのまま入射光路に沿って光源側に戻される。しかしＰＢＳの偏光度および消光比である検光効率が従来どうりの照明系であれば、ＰＢＳの膜特性の弱い方向の光が、わずかに漏れたあるいは乱れた偏光光となりＰＢＳを通過して出射側の色合成ミラー１９あるいは色合成プリズムを通過して投射レンズ２０側へ照射され、黒表示時に僅かの明るさをスクリーン上にて検知する。これによりコントラスト性能が低下し、従来問題となっていた。従って、本発明により、 前記照明光学系において、ＰＢＳや色分離合成手段の光軸面に対して垂直方向である上下方向（図１の奥行き方向）のf値 と、それと直交関係にある左右方向の（図１の上下方向で描写）ｆ値の関係が、上下方向f値 ＞ 左右方向ｆ値 の関係である照明光学系とすることで、ＰＢＳの膜特性の最も弱い方向の光線角度を光軸に対して小さくするため、このＰＢＳ角度依存に伴う画質上の色ムラやコントラスト特性の変化を低減できるという効果がある。これにより偏光純度を高め、画質性能の精度向上が可能になった。したがって、従来不十分であった角度特性による光利用効率、消光比、明るさ、色ムラ及びコントラストが向上できる。
【００４３】
このため、高精度な色再現性と高輝度および高効率コントラストの両立化を実現した反射型液晶表示装置を提供できる。
【００４４】
その後、映像であるＲＧＢ各色の光はダイクロイックミラー１９あるいは図示していないがダイクロイックプリズムにより、再び色合成されて、光は、例えばズームレンズであるような投射手段２０を通過し、スクリーンに到達する。前記投射手段２０により、反射型液晶表示素子２Ｒ、２Ｇ，２Ｂに形成された画像は、スクリーン上に拡大投影され表示装置として機能するものである。この３枚の反射型液晶表示素子を用いた反射型液晶表示装置は、電源２１により、ランプおよびパネル等の駆動を行っている。
【００４５】
したがって、従来の反射型液晶表示装置では、コントラスト向上により明るさも向上でき、さらには色ムラ等の性能向上を同時に実現することができる。
【００４６】
図２は、本発明による第１番目の光束圧縮手段の一実施形態を示す図である。
【００４７】
図（ａ）は、本発明の光源ユニット１、５からの一部範囲の出射光Ａを、透過光軸に沿い透過する傾斜面を持つ透過プリズム手段３２と、光源ユニット１、５からの残りの範囲の出射光Ｂを反射手段３１の第一の傾斜面、例えばミラーあるいは全反射プリズム、により光軸を透過光軸側に折り曲げて、この反射光Ｂを前記透過プリズム手段３２の出射光Ａを透過させた傾斜面と、略平行にエアーギャップ等を介して設けられた反射手段３１の第二の傾斜面にて反射し、出射光Ａと略々同等の光軸方向に出射光Ｂの光軸を揃え、照明系の光軸に対し光源ユニット１、５のＤ幅の光束を、上下方向あるいは左右方向にｄ幅の光束に圧縮する透過プリズム手段３２と反射手段３１により光束圧縮手段２６を構成する。
【００４８】
また、この光束圧縮手段２６において、透過プリズム手段３２の傾斜面の傾きを、透過光軸と直交する面となす角度θ１を±４１°以下とした構成である。
【００４９】
さらに、前記光束圧縮手段２６の反射手段３１の第一の傾斜面の傾きを、入射光軸と直交する面となす角度θ２を±４１．５°以下とした構成である。
【００５０】
これにより、ＢＫ７の硝材でも全反射角を使って、出射光Ｂの反射を第二の傾斜面で全反射を行うことが可能となる。またＢＫ７にて、この光束圧縮手段２６を構成できるので、さらなる低コスト化が可能となる。
【００５１】
これにより、光の角度保存されたまま、光束幅を上下あるいは左右方向に圧縮できるので、圧縮によるレンズ収差の問題や、角度の広がりを防止できるので、効率の良い光束圧縮が可能となる。
【００５２】
これにより、従来不十分であったパネル前のＰＢＳの角度特性による光利用効率向上、消光比向上、明るさ向上、色ムラ低減及びコントラストが向上できる。
【００５３】
一方、図（ｂ）は、（ａ）図とは別の光束圧縮手段の一実施例である。
【００５４】
本実施例はシリンドリカルレンズであり、光源ユニット１、５からの出射光束は正の屈折力を持つ第一シリンドリカルレンズ３３により光軸側に圧縮され、その後、負の屈折力をもつ第二シリンドリカルレンズ３４を通過して光軸方向と略平行に、かつ所定の光束幅ｄに圧縮される。これにより、単純なシリンドリカルレンズ３３、３４の組合せにて、上下あるいは左右に光束を圧縮する光束圧縮手段２６を提供できる。
【００５５】
ただし、この場合は収差を極力低減する方向で設計しなければならない。
【００５６】
図（ｃ）は別の光束圧縮手段の一実施例である。
【００５７】
光源ユニットを出射した光束は、レンズアレイ３５により二次光源像形成し、この像面位置に、短冊状に配列され、レンズアレイ３５の光軸上に並んだ複数配列のＰＢＳ（偏光変換素子）３６を有し、一列置きに配置された１／２λ波長板９により偏光方向をＰ偏光光、あるいはＳ偏光光に揃えられ、全ての光がどちらか一方の偏光方向にそろえられる。その後、出射光は再び偏光変換素子（ＰＢＳ）３７に入射する。このとき、例えば前段のＰＢＳ３６の出射光が、全てＳ偏光光の場合は、ＰＢＳ３７透過光はＰ偏光光に再び１／２λ波長板９にて偏光方向を変換され、ＰＢＳ３７反射光路を通過する反射光はＳ偏光光のまま利用される。このときＰＢＳ３７の出射光束幅はｄ幅に圧縮される。このように、光束圧縮手段２６はアレイレンズ３５と二段式のＰＢＳ３６、３７により構成される。
【００５８】
これにおいても、光の角度保存されたまま、光束幅を上下あるいは左右方向に圧縮できるので、圧縮によるレンズ収差の問題や、角度の広がりや透過光軸に対する反射光の微少な光軸ズレを防止できるので、効率の良い光束圧縮が可能となる。
【００５９】
よって、従来は不十分であった角度特性による照明系後流側のＰＢＳやダイクロイックプリズムまたは偏光板あるいは液晶等のパネルなどの光利用効率、また、消光比向上、明るさ向上、色ムラ低減及びコントラストが向上できる。この方式は、映像表示素子にマイクロミラーデバイスなどの偏光に依存しない反射型映像表示素子を利用する場合に有効である。
【００６０】
また、以上（ａ）（ｂ）（ｃ）の実施例は一方向に限定されるものではなく、組合せて上下および左右もしくは他方向を圧縮できる。
【００６１】
また、光源ユニットを複数個並べた場合、例えば2個以上の光源ユニットをその出射開口部を並列に並べた場合など、この（ａ）（ｂ）（ｃ）の実施例に示す光束圧縮手段により、光源ユニットの出射光の圧縮は、容易に実現できる。
【００６２】
図３は、本発明による第１番目の実施例としての光束圧縮手段の詳細を示す図である。
【００６３】
光源ユニット１、５からの一部範囲の出射光Ａを、透過光軸に沿い透過する傾斜面を持つ透過プリズム手段３２と、光源ユニット１、５からの残りの範囲の出射光Ｂを反射手段３１の第一の傾斜面、例えばミラーあるいは全反射プリズム、により光軸を透過光軸側に折り曲げて、この反射光Ｂを前記透過プリズム手段３２の出射光Ａを透過させた傾斜面と、略平行にエアーギャップ等を介して設けられた反射手段３１の第二の傾斜面にて反射し、出射光Ａと略々同等の光軸方向に出射光Ｂの光軸を揃え、照明系の光軸に対し光源ユニット１、５のＤ幅の光束を、上下方向あるいは左右方向にｄ幅の光束に圧縮する透過プリズム手段３２と反射手段３１により光束圧縮手段２６を構成する。
【００６４】
また、この光束圧縮手段２６において、透過プリズム手段３２の傾斜面の傾きを、透過光軸と直交する面となす角度θ１を±４１°以下とした構成である。
【００６５】
さらに、前記光束圧縮手段２６の反射手段３１の第一の傾斜面の傾きを、入射光軸と直交する面となす角度θ２を±４１．５°以下とした構成である。
【００６６】
この値は、ＢＫ７の硝材を透過プリズム３２と反射プリズム３１に用いた場合であり、全反射角を使って、出射光Ｂの反射を第二の傾斜面で全反射を行うことが可能となる。またＢＫ７にて、この光束圧縮手段２６を構成できるので、さらなる低コスト化が可能となる。他にパイレックス等の屈折率１．４７４近傍の場合は、これに応じた角度、すなわちθ１は４２°以下となり、θ２は４２．５°以下となる。逆に屈折率の１．５２３の硝材ならθ１は４０°以下、θ２は４２°以下とし、屈折率１．６の硝材の場合は、θ１は３８°以下、θ２は３８．５°以下とし、条件が微少に異なる。したがってθ１はθ０１＝ｓｉｎ-1（１／ｎ２）で求められる臨界角度以下であり、すなわちθ１＜ｓｉｎ-1（１／ｎ２）であり、透過光は透過プリズム３２の媒質から第１の傾斜面４０と第３の傾斜面３９で全反射が起きない条件となっている。逆に反射光は反射合成プリズム３１の第２の傾斜面３８を調整して、第３の傾斜面 ３９で全反射するようにθ２とθ４を設定する。このとき、θ４をθ１＝θ４とし、かつ、第３の傾斜面３９の法線と入射光軸および法線と反射光軸のなす角度であるθ３は、反射合成プリズム３１の光学部材の臨界角度θ０２、臨界角度θ０２＝ｓｉｎ-1（１／ｎ１）、以上である。すなわちθ３＞ｓｉｎ-1（１／ｎ１）であり、すなわちθ０２＜θ３、例えばＢＫ７では±４１°近傍以上、の関係が成立した構成である。但し、これは、本発明の一実施例であり、透過プリズムと反射合成プリズムは異なった硝材を使用したり、第１の傾斜面４０と第３の傾斜面３９は平行でない場合、すなわちθ１≠θ４の構成も考えられる。これにより透過光と反射光の光軸を透過光軸に略合わせることが可能となる。すなわち、片方ばかりの光軸角度ズレを透過光軸と反射光軸にて互いに分担して、光軸角度ズレの絶対値を低減させ効率を向上させるものである。
【００６７】
もちろん、透過プリズム３２の第１の傾斜面４０には反射防止膜、ＡＲコートが施されている。これにより、光の角度保存されたまま、光束幅を上下あるいは左右方向に圧縮できるので、圧縮によるレンズ収差の問題や、角度の広がりを防止できるので、効率の良い光束圧縮が可能となる。
【００６８】
また、光束圧縮手段の反射手段をプリズム構成とし、このプリズム硝材を透過プリズムの硝材と異なる屈折率の硝材とした構成も考えられる。これは、照明系ゆえに可能な手法であり、例えば、反射手段３１の硝材の屈折率をｎ１にし、透過プリズム３２の硝材の屈折率をｎ２とすると、ｎ１＞ｎ２にすると、第二の傾斜面３９にて全反射した光の光軸は、最終的に透過光の光軸とほとんど一致させることが可能である。この場合、ｎ１およびｎ２の屈折率の選択が重要であるが、一般的に透過プリズム３２と反射プリズム３１の硝材の屈折率を変えると、透過光の光軸が微少に屈折するので、実際は、照明系全体の光利用効率の最も高い、硝材の組合せを考える必要がある。一例としては、透過プリズム３２はｎ２＝１．５１６８の硝材、反射プリズム３１はｎ１＝１．５６８８３を用いて、θ１＝３８°、θ２＝３９．５°の場合が考えられる。
【００６９】
これにより、光の角度保存されたまま、光束幅を上下あるいは左右方向に圧縮できるので、圧縮によるレンズ収差の問題や、角度の広がりを防止できるので、効率の良い光束圧縮が可能となる。
【００７０】
図４は本発明による第１番目の光束圧縮手段の一実施形態を示す図である。
【００７１】
図（ａ）は、本発明の光源ユニット１、５を複数個並べて、配列し、この出射光束を圧縮する構成を示している。図（ａ）の場合は、一列上に光源ユニット１、５が配列されており、一方向、この場合図面に対して上下方向、すなわち光源ユニット１，５の並んでいる方向の光束を圧縮している図を示している。
【００７２】
これにより、光束の角度が保存されたまま、光源の光束を圧縮でき、光学照明系の大きさを小型化することができ、なおかつ光源ユニットを2個以上用いることができるので、明るさも向上する。
【００７３】
図（ｂ）および図（ｃ）は、本発明を2個以上利用し、照明系の光束幅を上下左右ともに圧縮する構成の一例を示している。この場合は、光源ユニット１、５の後に光束圧縮手段２６をそれぞれの透過光軸に対しての直交面内で圧縮方向が直交するように、すなわち、上下圧縮と左右圧縮とを順次おこなえるように、複数の光束圧縮手段２６を配置している構成である。
【００７４】
これにより、光源ユニット１、５が、複数個配列されていても、図（ｂ）は2個並列にされ、図（ｃ）は４個配列した光源を示しているが、光源の並び方に対応し、どの方向にも圧縮可能で、照明系の最終的な光束径を圧縮できる。したがって、光学系の小型化と明るさ性能を両立した映像表示装置を提供できる。
【図面の簡単な説明】
【００７５】
【図１】本発明の第１番目の実施形態としての投射型液晶表示装置の構成図である。
【図２】本発明の第１番目の実施形態を示す図である。
【図３】本発明の第１番目の実施形態を示す図である。
【図４】本発明の第２番目の実施形態を示す図である。
【符号の説明】
【００７６】
１…光源、２Ｇ，２Ｒ，２Ｂ…反射型映像表示素子、５…リフレクタ、６…第一のアレイレンズ、７…第二のアレイレンズ、８…偏光ビームスプリッター（ＰＢＳ）、１０…コンデンサレンズ、１１…反射ミラー、１３…ダイクロイックミラー、１４…入射偏光板、１６…Ｇ専用ＰＢＳ、Ｒ−Ｂ専用ＰＢＳ、１７…特定波長選択偏光変換素子、２０…投射レンズ、２２…光学部材、２３…プリズム硝材、２５…誘電体多層膜、２６…光束圧縮手段、３１…反射合成手段、３２…透過プリズム手段。
【図１】
2005321816.tif 000003
【図２】
2005321816.tif 000004
【図３】
2005321816.tif 000005
【図４】
2005321816.tif 000006